(57)【要約】      （修正有）【課題】任意の植物を取り付け可能で、異なる植物に取り替え自在で、且つ、取付け容易なガーデンカーテンを提供する。【解決手段】上レール２と、この上レール２に摺動自在に装着されると共に所定大きさの網目状とされる本体ネット部４と、を備え、前記本体ネット部４に所定の植物１１を取付け自在としたガーデンカーテン１とした。【選択図】図１
0003173462.tif 000002
【実用新案登録請求の範囲】
【請求項１】
上レールと、この上レールに摺動自在に装着されると共に所定大きさの網目状とされる本体ネット部と、を備え、前記本体ネット部に所定の植物を取付け自在としたことを特徴とするガーデンカーテン。
【請求項２】
前記上レールは、下面または側面のいずれか一面に開口部を備える中空状本体部を備え前記開口部から突出するカーテンフック部を有するスライダー部材を内蔵したレール部材から成り、前記本体ネット部は、前記スライダー部材に前記網目を係止して取り付けられることを特徴とする請求項１に記載のガーデンカーテン。
【請求項３】
前記上レールは、シャフトやパイプ状の棒状本体部を備え当該棒状本体部に沿って摺動自在に装着されるリング状部材を有するレール部材から成り、前記本体ネット部は、前記リング状部材に前記網目を係止して取り付けられることを特徴とする請求項１に記載のガーデンカーテン。
【請求項４】
前記上レールは、シャフトやパイプ状の棒状本体部を備えるレール部材から成り、前記本体ネット部は、前記棒状本体部に、その網目を挿通して装着していることを特徴とする請求項１に記載のガーデンカーテン。
【請求項５】
前記上レールに加えて下レールを備え、これらの上下のレール間に前記本体ネット部を架け渡す構成としたことを特徴とする請求項３または４に記載のガーデンカーテン。
【請求項６】
所定の上部部位に装着する左右一対の上フック部材を介して前記上レールを支持し、所定の下部部位に装着する左右一対の下フック部材を介して前記下レールを支持することを特徴とする請求項５に記載のガーデンカーテン。
【請求項７】
バルコニーの上部壁面もしくは天面の所定の左右両側に左右一対の上フック部材を取り付け、バルコニーに設置するプランターに左右一対の下フック部材を取り付け、前記左右一対の上フック部材を用いて前記上レールを支持し、前記左右一対の下フック部材を用いて前記下レールを支持することを特徴とする請求項６に記載のガーデンカーテン。
【請求項８】
前記植物は、人造の植物であって、チェーンリンク状の線状体に複数の葉を備えた長尺な植物であり、当該チェーンリンク状の線状体を本体ネット部に固定して装着することを特徴とする請求項１から７のいずれかに記載のガーデンカーテン。
【請求項９】
前記植物は、人造の植物であって、蔓状の線状体に複数の葉を備えた長尺な植物であり、当該蔓状の線状体を本体ネット部に固定して装着することを特徴とする請求項１から７のいずれかに記載のガーデンカーテン。
【請求項１０】
前記線状体に、枝状の軸と軸の先端側に設ける釣り針のかえし状の抜け防止部を備えた植物取付部を設け、この植物取付け部に、当該軸が挿通自在な孔径の取付孔を備えた葉状植物や花状植物を取り付け可能としたことを特徴とする請求項８または９に記載のガーデンカーテン。
【請求項１１】
前記葉状植物は、耐候性を有するポリエステル繊維を織成した布地を葉型にカットした後、樹脂で固めた人造植物であって、光触媒機能を有する機能性顔料を混合して緑色に着色していることを特徴とする請求項１０に記載のガーデンカーテン。
【請求項１２】
前記本体ネット部に、前記植物を高密度に取り付けて、鳥などが侵入してこない防鳥効果を発揮する構成としたことを特徴とする請求項１から１１のいずれかに記載のガーデンカーテン。
【考案の詳細な説明】
【技術分野】
【０００１】  本考案は、植物を用いたガーデンカーテンに関し、特に、所望の植物を着脱自在となるガーデンカーテンに関するものである。
【背景技術】
【０００２】  従来、カーテンは、カーテンレールにカーテンランナーをスライド可能に装着して、カーテンを吊り下げるカーテンフックをカーテンランナーに引っ掛け、カーテンの端を摘んで開閉する構成とされている。【０００３】  また、外から室内が見えないように、窓や、庭やベランダへの出入り口に遮光性を有するカーテンを用いている。また、室内に太陽の光が入り込まないように、日よけのために用いる場合もある。さらには、部屋の模様替えや季節感を得るために、カーテンの柄を変えて気分転換を図ることも行われている。【０００４】  日よけや外部視線防止のために用いるガーデンカーテンであっても、遮光性だけでなく、見栄えがよく、通風性も有していることが好ましい。また、布地を用いたカーテンではガーデン調の雰囲気がでないので、布地ではなく、蔓状植物などを用いてカーテン状あるいは簾状の緑化装置を構築することも行われている。【０００５】  例えば、網目状のネットに蔓状植物を繁殖させた構成のグリーンカーテン（例えば、特許文献１参照）や、ベランダに、蔓状植物の培地ケースとこの培地ケースから延びた蔓状植物を誘引する誘引柵とこれらを固定する吊り具とを備えたベランダの緑化装置（例えば、特許文献２）などがすでに提案されている。
【先行技術文献】
【特許文献】
【０００６】
【特許文献１】  実用新案登録第３１４９２４７号公報
【特許文献２】  特開２００９−２９１１８４号公報
【考案の概要】
【考案が解決しようとする課題】
【０００７】  しかし、実際の植物を用いたグリーンカーテンや緑化装置では、植物が成長するまではカーテン機能を発揮することができず、成長するまでの長い時間が必要となる。また、植物が成長しても、所望の状態に均一に成長するとは限らない。さらに、一旦成長した植物以外の植物に替えることも容易ではなく、所望の見栄えを呈することも簡単ではない。【０００８】  そのために、所定の遮光効果や木漏れ日効果を発揮し、さらに、見栄えのよいガーデンカーテンを得るためには、任意の植物を任意の密度で装着自在であることが好ましく、また異なる植物に取り替え自在であることが好ましい。【０００９】  また、マンションのバルコニーなどに容易に装着できるガーデンカーテンであることが好ましく、虫や鳥などの侵入を防ぐ効果があればより好ましい。【００１０】  本考案は、上記問題点に鑑み、任意の植物を取り付け可能で、異なる植物に取り替え自在で、且つ、取付け容易なガーデンカーテンを提供することを目的とする。
【課題を解決するための手段】
【００１１】  上記課題を解決するために本考案は、上レールと、この上レールに摺動自在に装着されると共に所定大きさの網目状とされる本体ネット部と、を備え、前記本体ネット部に所定の植物を取付け自在のガーデンカーテンとしたことを特徴とする。【００１２】  この構成によると、本体ネット部に任意の植物を取付け可能で、異なる植物に取替え自在なガーデンカーテンとなる。また、取付け容易なガーデンカーテンとなり、所定の植物を所定密度で取り付けることで、所望される遮光効果や木漏れ日効果を発揮すると共に、通常の室内カーテンと同様に開閉自在なガーデンカーテンを得ることができる。【００１３】  また本考案は、上記構成のガーデンカーテンにおいて、前記上レールは、下面または側面のいずれか一面に開口部を備える中空状本体部を備え当該開口部から突出するカーテンフック部を有するスライダー部材を内蔵したレール部材から成り、前記本体ネット部は、前記スライダー部材に前記網目を係止して取り付けられることを特徴としている。この構成によると、スライダー部材がレールに沿って容易にスライドするので、開閉容易なガーデンカーテンとなる。【００１４】  また本考案は、上記構成のガーデンカーテンにおいて、前記上レールは、シャフトやパイプ状の棒状本体部を備え当該棒状本体部に沿って摺動自在に装着されるリング状部材を有するレール部材から成り、前記本体ネット部は、前記リング状部材に前記網目を係止して取り付けられることを特徴としている。この構成によると、リング状部材がレールに沿って容易にスライドするので、開閉容易なガーデンカーテンとなる。【００１５】  また本考案は、上記構成のガーデンカーテンにおいて、前記上レールは、シャフトやパイプ状の棒状本体部を備えるレール部材から成り、前記本体ネット部は、前記棒状本体部に、その網目を挿通して装着していることを特徴としている。この構成によると、例えば、網目を互い違いにレール部材に掛け渡すようにして装着することで、本体ネット部をレールに容易に装着できる。また、網目はレールに沿って容易に移動させることができるので、開閉可能なガーデンカーテンとなる。【００１６】  また本考案は、上記構成のガーデンカーテンにおいて、前記上レールに加えて下レールを備え、これらの上下のレール間に前記本体ネット部を架け渡す構成としたことを特徴としている。この構成によると、上レールと下レールとの間に本体ネット部を架け渡した構成であるので、任意の位置に上下のレールを設置するだけでよく、取付け容易なガーデンカーテンとなる。【００１７】  また本考案は、上記構成のガーデンカーテンにおいて、所定の上部部位に装着する左右一対の上フック部材を介して前記上レールを支持し、所定の下部部位に装着する左右一対の下フック部材を介して前記下レールを支持することを特徴としている。この構成によると、窓部やバルコニーへの出入り口部の所定部位、例えば、壁面や窓枠や網戸枠などの所定部位に上下のフック部材を装着するだけで、ガーデンカーテンを容易に取り付けることができる。【００１８】  また本考案は、上記構成のガーデンカーテンにおいて、バルコニーの上部壁面もしくは天面の所定の左右両側に左右一対の上フック��材を取り付け、バルコニーに設置するプランターに左右一対の下フック部材を取り付け、前記左右一対の上フック部材を用いて前記上レールを支持し、前記左右一対の下フック部材を用いて前記下レールを支持することを特徴としている。この構成によると、バルコニーに設置する本体ネット部の下部をプランターに植えている花や植物で覆い隠すことができ、ハイブリッド効果を発揮して、さらに見栄えの良いガーデンカーテンを構成することができる。【００１９】  また本考案は、上記構成のガーデンカーテンにおいて、前記植物は、人造の植物であって、チェーンリンク状の線状体に複数の葉を備えた長尺な植物であって、当該チェーンリンク状の線状体を本体ネット部に固定して装着することを特徴としている。この構成によると、本体ネット部の任意の位置にチェーンリンク状の線状体を取り付けることで、植物の密度を任意の密度に調整できるので、遮光カーテンや木漏れ日カーテンなどの、所定の特徴を発揮するガーデンカ−テンとなる。また、水やりが不要であり枯れることもないので、メンテナンスが容易でありコスト的にも有効である。【００２０】  また本考案は、上記構成のガーデンカーテンにおいて、前記植物は、人造の植物であって、蔓状の線状体に複数の葉を備えた長尺な植物であって、当該蔓状の線状体を本体ネット部に固定して装着することを特徴としている。この構成によると、本体ネット部の任意の位置に蔓状の線状体を取り付けることで、植物の密度を任意の密度に調整できるので、遮光カーテンや木漏れ日カーテンなどの、所定の特徴を発揮するガーデンカ−テンとなる。また、水やりが不要であり枯れることもないので、メンテナンスが容易でありコスト的にも有効である。【００２１】  また本考案は、上記構成のガーデンカーテンにおいて、前記線状体に、枝状の軸と軸の先端側に設ける釣り針のかえし状の抜け防止部を備えた植物取付部を設け、この植物取付け部に、当該軸が挿通自在な孔径の取付孔を備えた葉状植物や花状植物を取り付け可能としたことを特徴としている。この構成によると、チェーンリンク状の線状体や蔓状の線状体に設ける植物取付部の軸に取付孔を係合させて固定する操作により、所望の葉状植物や花状植物を追加して取付自在となる。そのために、さらなる遮光カーテンや木漏れ日カーテンなどの特徴を発揮するガーデンカ−テンとなる。【００２２】  また本考案は、上記構成のガーデンカーテンにおいて、前記葉状植物は、耐候性を有するポリエステル繊維を織成した布地を葉型にカットした後、樹脂で固めた人造植物であって、光触媒機能を有する機能性顔料を混合して緑色に着色していることを特徴としている。この構成によると、このガーデンカーテンに取り付ける植物は、耐候性を有し、さらに、光触媒機能を発揮することができる。【００２３】  また本考案は、上記構成のガーデンカーテンにおいて、前記本体ネット部に、植物を高密度に取り付けて、鳥などが侵入してこない防鳥効果を発揮する構成としたことを特徴としている。この構成によると、所定の遮光効果と木漏れ日効果を発揮することに加えて、さらに防鳥効果を発揮するガーデンカーテンとなる。
【考案の効果】
【００２４】  本考案によれば、所定大きさの網目状とされる本体ネット部に、所定の植物を取付け自在とした構成のガーデンカーテンとしたので、本体ネット部に任意の植物を取付け可能で、異なる植物に取替え自在なガーデンカーテンとなる。また、上レールに、もしくは、上下のレール間に本体ネット部を装着する構成であるので、任意の位置にレールを設置するだけでよく、取付け容易なガーデンカーテンとなる。さらに、所定の植物を所定密度で取り付けることで、所望される遮光効果や木漏れ日効果を発揮して、所定の涼風感と爽快感を発揮するガーデンカーテンを得ることができる。
【図面の簡単な説明】
【００２５】
【図１】本考案に係るガーデンカーテンの第一実施形態例を示す正面図である。
【図２】本考案に係るガーデンカーテンの第二実施形態例を示す正面図である。
【図３】本考案に係るガーデンカーテンの第三実施形態例を示す正面図である。
【図４】本考案に係るガーデンカーテンの取付状態を示し、（ａ）は第一の取付例を示す概略側面図であり、（ｂ）は第二の取付例を示す概略側面図であり、（ｃ）は第三の取付例を示す概略側面図である。
【図５】本考案に係るガーデンカーテンのバルコニーにおける取付状態を示し、（ａ）はガラス戸枠に設置した例、（ｂ）はバルコニー部に設置した例、（ｃ）はプランターを利用した例、（ｄ）は移動可能に設置した例、である。
【図６】本考案に係るガーデンカーテンの実施形態例を示す概略説明図である。
【図７】チェーンリンク状の線状体を備える植物の一例を示す概略説明図である。
【図８】蔓状の線状体を備える植物の一例を示す概略説明図である。
【図９】別途取り付け可能な葉状植物と花状植物の一例を示す概略説明図である。
【考案を実施するための形態】
【００２６】  以下に本考案の実施形態を図面を参照して説明する。また、同一構成部材については同一の符号を用い、詳細な説明は適宜省略する。
【００２７】  本考案に係るガーデンカーテンは、窓部やバルコニーなどに装着して、任意の植物を取付自在なカーテン様のガーデン部材であって、上レールと、この上レールに摺動自在に装着されると共に所定大きさの網目状とされる本体ネット部と、を備え、前記本体ネット部に所定の植物を取付け自在としたガーデンカーテンである。
【００２８】  例えば、図１に示すように、本実施形態に係るガーデンカーテン１は、上レール２に、縦横の紐状部４ａ、４ｂとで形成された所定大きさの網目状の本体ネット部４を装着した構成とされる。
【００２９】  上レール２は、通常のカーテンレールに即した種々の形態のレールと同様なレール部材を用いることができる。例えば、下部が開口した中空状本体部を備え、開口部から垂下したカーテンフック部を有するスライダー部材を内蔵したレール部材や、側部が開口した中空状本体部を備え、開口部から突出するカーテンフック部を有するスライダー部材を内蔵したレール部材や、シャフトやパイプ状の棒状本体部を備え、この棒状本体部に沿って摺動自在に装着されるフックやリング状部材を有するレール部材を用いることができる。
【００３０】  例えば、図１に示す第一実施形態のガーデンカーテン１（１Ａ）は、上レール２として側面が開口したレール部材２１を用いており、このレール部材２１に収容されたスライダー部材ＳＬ１の開口部から側方に突出しているカーテンフック部に、縦横の紐状部４ａ、４ｂとで形成された所定大きさの網目状の本体ネット部４を装着した構成とされる。
【００３１】  この構成であれば、開閉自在なガーデンカーテン１（１Ａ）を得ることができる。また、レール部材２１を任意の位置に設けることで、所望の部位にガーデンカーテン１（１Ａ）を設置することが容易にできる。さらに、本体ネット部４に任意の植物１１を取付け可能であるので、異なる植物に取替え自在なガーデンカーテン１（１Ａ）となる。
【００３２】  また、図２に示す第二実施形態に係るガーデンカーテン１（１Ｂ）は、上レール２としてシャフトやパイプ状の棒状本体部を有するレール部材２２を用いている。例えば、この棒状本体部に沿って摺動自在なフックやリングなどのリング状部材Ｒ１を嵌装し、このリング状部材Ｒ１を介して本体ネット部４を装着する。この構成であっても開閉容易なガーデンカーテン１（１Ｂ）となる。
【００３３】  また、上レール２に加えて下レール３を備え、これらの上下のレール間に本体ネット部４を架け渡す構成としてもよい。この構成であれば、上レール２と下レール３との間に本体ネット部４を架け渡した構成となるので、任意の位置に上下のレールを設置するだけでよく、取付け容易なガーデンカーテン１となる。
【００３４】  例えば、図３に示す第三実施形態に係るガーデンカーテン１（１Ｃ）は、上レール２と下レール３間に、縦横の紐状部４ａ、４ｂとで形成された所定大きさの網目状の本体ネット部４を装着した構成とされる。また、上レール２、下レール３は、例えば、シャフトやパイプ状の棒材を用いる。そして、この棒材からなる上レール２、下レール３間に本体ネット部４の上辺部および下辺部を取り付ける。
【００３５】  本体ネット部４を上下のレールに装着する取付方法は、例えば、図４（ａ）に示す第一の取付例のように、側面が開口したレール部材２１に収容したスライダー部材ＳＬ１の開口部から側方に突出しているカーテンフック部に本体ネット部４の網目を係止して取り付ける。また、図４（ｂ）に示す第二の取付例のように、レール部材２２に装着するリング状部材Ｒ１に本体ネット部４の網目を係止して取り付けることができる。この際に、下レール３を用いて上下一対のレールを用いて本体ネット部４を取り付けてもよい。この構成であれば、本体ネット部４が風などによりばたつくこともなく、容易に開閉操作することができる。また、リング状部材Ｒ１が環状部に開閉自在な開口部を備えて、上下のレールに取付容易で、且つ、ネット部の網目を係止容易な構成であれば、本体ネット部４の取付操作を容易に行うことができて好ましい。
【００３６】  また、上記したリング状部材Ｒ１を用いなくても、本体ネット部４の上辺部および下辺部の網目を、それぞれレールに挿通して装着することも可能である。例えば、網目を互い違いにジグザグ状にレール（上レール２と下レール３）に掛け渡すようにして本体ネット部４を上下のレールに容易に装着できる。
【００３７】  また、網目にレールを挿通して本体ネット部４を装着する構成であっても、本体ネット部４をレールに沿って、軸方向にスライドさせることができる。すなわち、この構成であってもカーテンのように開閉できる。
【００３８】  棒状の上レール２と下レール３は、例えば、バルコニーの壁に取付けて使用する。また、既設の網戸枠や窓枠に取付けて使用してもよい。例えば、伸縮自在で、且つ、所定長さ位置で固定可能なシャフトから成るレール部材を用いた構成であれば、バルコニーの左右の壁面を利用して、その間に懸架するようにして取り付けることができる。また、床面と天面との間に取付ける支持棒を介して、所定高さの水平方向に配置するようにレール部材を装着してもよい。
【００３９】  また、レール部材を引っ掛けるように係止するフック部材を介して取り付ける構成であってもよい。この場合は、所定部位に設けるフック部材を介して任意の位置に取り付けることができる。例えば、図４（ｃ）の第三の取付例に示すように、上レール２は、壁面もしくは網戸枠または天面などの取付面７に取り付ける上フック部材５により支持する。また、下レール３は、壁面もしくは網戸枠または床面などの取付面７に取り付ける下フック部材６により支持する。
【００４０】  上フック部材５や下フック部材６などのフック部材は、例えば、面状の粘着取付部と、シャフト状のレール部材を取り付け取り外し可能なフック部を備えた構成とされる。このフック部は、面状部の粘着取付部の反対側の面に突出して所定の向きに、例えば、上向きに、または、水平に、あるいは、この中間の傾斜したレール部材嵌め込み部を備えている。そのために、面状の粘着取付部を所定部位に貼付するだけで、上レール２と下レール３を嵌め込み可能なフック部を設置することができ、このフック部を介して上レール２と下レール３が着脱自在となる。
【００４１】  また、粘着取付部は、例えば、両面テープ式の、あるいは、熱を加えることで軟化して接着性を発揮する粘着材をその取付面に貼付された粘着材方式のフック部材を用いる。特に粘着力の強い粘着材方式であれば、一旦熱を加えて粘着材を軟化して、所定の部位に強く押し付けることで、コンクリート壁や板壁や金属面などに強固に粘着することができる。また、粘着させた後で、再度加熱することで、容易に取り外すことも可能であり、たとえバルコニーが共用部分であっても共用部分を損傷せずに、使用可能な構成となる。
【００４２】  この構成であれば、窓部でもバルコニーでも庭への出入り口であっても、適当な部位に上下のフック部材５，６を取り付けて本体ネット部４を備えた上下のレール２，３を固定するだけでガーデンカーテン１を容易に取り付けることができる。また、適当なアーム長さのブラケット部材を用いて、壁面から離れた位置にフック部を設置する構成としてもよい。
【００４３】  例えば、図５（ａ）に示すように、ガラス戸枠などの枠部７１の上部に上フック部材５Ａ、５Ｂを取り付け、下部に下フック部材６Ａ、６Ｂを取り付けることで、それぞれ上レール２Ａと下レール３Ａを取り付け可能となる。これらの上下一対のレール間に、左右一対の本体ネット部４Ａ、４Ｂを装着して、室内カーテンと同様な構成としている。
【００４４】  また、図５（ｂ）に示すように、出入り口部から離れたバルコニーの中間部の天面７４と床面７３にそれぞれ上フック部材５Ｃや下フック部材６Ｃを取り付けて、それぞれ上レール２Ｃと下レール３Ｃを取り付ける構成とする。また、バルコニーの外側の壁面やガード部７５に上フック部材５Ｄや下フック部材６Ｄを取り付けて、それぞれ上レール２Ｄと下レール３Ｄを取り付ける構成としてもよい。この構成であれば、バルコニーの前端部分に本体ネット部４を設置するので、洗濯物やその他の物品や幼児の落下などを効果的に防止することができる。
【００４５】  さらに、図５（ｃ）に示すように、バルコニーに設置するプランター８に下フック部材６Ｄを取り付けて、天面とプランター８との間にガーデンカーテンを設置するようにしてもよい。この構成であれば、バルコニーに設置する本体ネット部４の下部をプランターに植えている花や植物で覆い隠すことができ、ハイブリッド効果を発揮して見栄えの良いガーデンカーテンを構成することができる。
【００４６】  また、図５（ｄ）には、本体ネット部を前後にスライド可能に設置した変形例を示す。これは、バルコニーの上部にガイドバー９Ａを設け、下部にガイドバー９Ｂを設けて、これらのバーに上下のフック部材を摺動自在に取り付けることで実現できる。
【００４７】  この構成であれば、本体ネット部４を任意の前後位置にスライドできるので、天気に応じて、また気分に応じて、その配設位置を変位可能なガーデンカーテンを実現することができる。さらには、幼児の遊び空間を形成することもできて、バルコニーからの転落も防止可能な安全空間を形成できる。
【００４８】  また、本体ネット部４を上レール２と下レール３とを介して装着している構成であれば、この上レール２と下レール３とを斜めに配設することで、本体ネット部４を傾斜した姿勢に保持することも可能である。この構成であれば、任意の植物を取り付けた本体ネット部４を好みの傾斜姿勢にすることができ、さらに利用効果の高いガーデンカーテンを実現できる。
【００４９】  次に、図６を用いて、網戸枠やガラス戸枠などの枠部７１に上フック部材を装着した例と、この枠部を取り囲むと共に外方に突出している壁面７２に上フック部材を装着した例について説明する。
【００５０】  図６（ａ）には、網戸枠やガラス戸枠などの枠部７１に上フック部材を装着した例を示す。この例では、枠部７１に上フック部材５Ａを取り付けて、この上フック部材５Ａに上レール２Ａを装着する。この上レール２Ａには予め本体ネット部４Ａが取り付けられている。すなわち、予め本体ネット部４Ａが取り付けられている上レール２Ａを上フック部材５Ａに装着する。
【００５１】  このようにすることで、網戸枠やガラス戸枠などの枠部７１に、任意の植物を装着自在な本体ネット部４Ｃを備えたガーデンカーテン１Ｂａを取り付け自在となる。
【００５２】  図６（ｂ）には、枠部７１を取り囲むと共に外方に突出している壁面７２に上フック部材を装着した例を示す。この例では、壁面７２に第２上フック部材５Ｂを取り付けて、この上フック部材５Ｂに上レール２Ｂを装着する。この上レール２Ｂには予め本体ネット部４Ｂが取り付けられている。すなわち、予め本体ネット部４Ｄが取り付けられている上レール２Ｂを上フック部材５Ｂに装着する。
【００５３】  このようにすることで、網戸枠やガラス戸枠などの枠部７１から外方に突出した壁面７２に、任意の植物を装着自在な本体ネット部４Ｄを備えたガーデンカーテン１Ｂｂを取り付け自在となる。
【００５４】  また、いずれの場合であっても、上レール２Ａ、２Ｂは、前述したように、中空状本体部と開口部を備えスライダー部材を内蔵したレール部材や、シャフトやパイプ状の棒状本体部を備えこの棒状本体部に沿って摺動自在に装着されるフックやリング状部材を有するレール部材を用いることができる。
【００５５】  また、上レール２Ａ、２Ｂに加えて、それぞれ下レール３Ａ、３Ｂを用いる構成としてもよい。例えば、図６（ａ）においては、枠部７１の下部に下フック部材６Ａを取り付けて、この下フック部材６Ａに下レール３Ａを装着する。また、図６（ｂ）においては、床面７３に下フック部材６Ｂを取り付けて、この下フック部材６Ｂに下レール３Ｂを装着する。
【００５６】  この構成であれば、本体ネット部４Ｃ、４Ｄの上辺部と下辺部とを共にレール部材により支持する構成となるので、風が吹いてもばたつかない姿勢の安定したガーデンカーテンとなって好ましい。
【００５７】  また、これらは、前後に離間して設置可能であるので、これらを同時に設置することも可能である。すなわち、ガラス戸に近い部分に設ける本体ネット部４Ｃと、ガラス戸から外方に突出して設ける本体ネット部４Ｄとを同時に用いて、さらなる日よけ効果や遮熱効果を発揮するようにしてもよい。
【００５８】  次に、本体ネット部４（４Ａ〜４Ｄ）に取り付ける植物について説明する。
【００５９】  本実施形態に用いる植物は、天然の植物を直接取り付けてもよいが、人造の植物の方が寿命が長くメンテナンスも不要であるので、より好ましい。例えば、図７に示すように、チェーンリンク状の線状体１３Ａに複数の葉１２Ａを備えた長尺な植物１１Ａを用いる。また、このチェーンリンク状の線状体１３Ａを本体ネット部３に所定密度で固定して装着することで、所定の植物１１Ａで被覆されたガーデンカーテン１（１Ａ〜１Ｃ）を構築することができる。
【００６０】  チェーンリンク状の線状体１３Ａを本体ネット部３に固定する方法は、緑色の紐や針金、あるいは、緑色の結束バンドなどを用いるとよい。この構成であれば、本体ネット部４の任意の位置にチェーンリンク状の線状体１３Ａを取り付けることで、植物の密度を任意の密度に調整できるので、遮光カーテンや木漏れ日カーテンなどの、所定の特徴を発揮するガーデンカ−テン１（１Ａ〜１Ｃ）となって好ましい。
【００６１】  また、図８に示すように、チェーンリンク状ではなく蔓状の線状体１３Ｂに複数の葉１２Ａを備えた長尺な植物１１Ｂを用いてもよい。この構成であれば、本体ネット部３の任意の位置に蔓状の線状体１３Ｂを取り付けることで、植物の密度を任意の密度に調整できるので、遮光カーテンや木漏れ日カーテンなどの、所定の特徴を発揮するガーデンカ−テン１（１Ａ〜１Ｃ）となって好ましい。
【００６２】  また、図９に示すように、線状体１３（１３Ａ、１３Ｂ）に、枝状の軸１５と軸の先端側に設ける釣り針のかえし状の抜け防止部１６を備えた植物取付部１４を設け、この植物取付部１４に、当該軸１５が挿通自在な孔径の取付孔１７を備えた葉状植物１２Ｂや花状植物１２Ｃを取り付け可能にしておくことが好ましい。この構成であれば、チェーンリンク状の線状体１３Ａや蔓状の線状体１３Ｂに設ける植物取付部１４の軸１５に取付孔１７を係合させて固定する操作により、所望の葉状植物１２Ｂや花状植物１２Ｃを追加して取付自在となる。そのために、さらなる日よけ効果や外部視線防止効果などの特徴を発揮するガーデンカ−テン１（１Ａ〜１Ｃ）となって好ましい。
【００６３】  この葉状植物１２Ｂや花状植物１２Ｃは本物の植物の葉でも花でもよく、人工的に作製された人造植物であってもよい。このような構成であれば、植物取付部１４の軸１５に取付孔１７を係合させる操作により、所望の植物を取付自在となる。
【００６４】  上記した植物取付部１４は、所定外径の軸１５と、軸の先端側に設けた釣り針のかえし状の抜け防止部１６を備えた構成であるので、この植物取付部１４に取り付ける植物は、例えば、前述した葉状植物１１Ａや花状植物１１Ｂ以外にも、一本の茎状あるいは蔓状の長尺な線状体に複数の取付孔１７を備えた長尺な植物を用いることができる。すなわち、一本の蔓状の線状体に複数の葉や花を備えた植物でもよい。
【００６５】  また、抜け抑制部１６は、軸１５の表面を斜めにカットして立ち上げた形状でよい。この構成であれば、取付孔１７を備えた植物を軸１５に差し込む操作で、それぞれの植物１２Ｂ、１２Ｃを自在に取り付けることができる。また、この他の構成でもよく、例えば、軸１５の先端部に嵌め込み自在な抜け抑制部材を用いて、取り付けた植物の抜けを防止する構成としてもよい。
【００６６】  葉１２Ａも葉状植物１２Ｂも花状植物１２Ｃも植物であるので、これらの植物１１（１１Ａ、１１Ｂ）、１２Ａ、１２Ｂ、１２Ｃが人工物であれば、樹脂製の軸１５と共に一体成型し、この樹脂製の軸１５の先端部を斜めにカットして所定形状の抜け抑制部１４を容易に形成することができる。
【００６７】  上記したように、本考案に係るガーデンカーテン１（１Ａ〜１Ｃ）であれば、任意の植物１１（１１Ａ、１１Ｂ）、１２Ａ、１２Ｂ、１２Ｃを取り付け自在であり、容易に取替えできるので、それぞれの季節や環境に応じて、所定の涼風感と爽快感を発揮するように調整できる。
【００６８】  また、前記葉状植物１２Ｂは、耐候性を有するポリエステル繊維を織成した布地を葉型にカットした後、樹脂で固めた人造植物であってもよく、さらに光触媒機能を有する機能性顔料を混合して緑色に着色していることが好ましい。この構成であれば、このガーデンカーテンに取り付ける植物は、耐候性を有し、さらに、光触媒機能を発揮することができる。
【００６９】  また、カーテン本体部４を構成する縦横の紐状部４ａ、４ｂは、樹脂製でよく、所望の色合いの樹脂紐、例えば緑色の紐状部４ａ、４ｂを用いる。また、耐候性を有するポリエステル樹脂製であれば、屋外に長期間曝しておいても劣化しないので好ましい。また、植物１１（１１Ａ、１１Ｂ）、１２Ａ、１２Ｂ、１２Ｃも樹脂製であれば、これらを所定の機能を発揮する素材を配合した樹脂製品から作製することが容易である。
【００７０】  例えば、光触媒機能を発揮する酸化チタンを配合して植物を作成すると、この植物が光触媒機能を発揮するので、消臭機能や抗菌機能を発揮するガーデンカーテン１（１Ａ〜１Ｃ）を構築することができる。また、所定密度に植物１１（１１Ａ、１１Ｂ、１１Ｃ）を取り付けることで、木漏れ日効果や日よけ効果や遮熱効果を発揮する。
【００７１】  さらに、本体ネット部４に植物１１（１１Ａ、１１Ｂ、１１Ｃ）を高密度に取り付けると、鳥などが侵入してこない防鳥効果を発揮する。この構成であれば、所定の遮光効果（外部視線防止効果や日よけ効果）と木漏れ日効果を発揮することに加えて、さらに防鳥効果を発揮するガーデンカーテンとなる。
【００７２】  また、植物１１（１１Ａ、１１Ｂ）、１２Ａ、１２Ｂ、１２Ｃが人造物であれば、水や肥料などは不要であり、特別なメンテナンスは必要としない。すなわち、メンテナンスフリーのガーデンカーテン１（１Ａ〜１Ｃ）となってコスト的にも有効となる。また、枯れることもないので、長期間安定した見映えを発揮して、取付容易で利便性が高く、簡易なメンテナンスでエコ効果の高い安全なガーデンカーテンとなる。
【００７３】  また、本実施形態に係るガーデンカーテン１（１Ａ〜１Ｃ）は、良好な遮熱効果を発揮することが明らかとなった。例えば、５０ｃｍ離れた位置に６０℃の赤外ランプを設置して、カーテン内側の室内温度がどのように上昇するかを確認してみた試験結果を表１に示す。
【００７４】
【表１】
0003173462.tif 000003
【００７５】  表１に示す試験結果は、日本繊維製品品質技術センターの福井試験センターにて行った赤外ランプ６０℃法準用による断熱性試験結果であって、５４×５４×４５ｃｍの試験槽を用い、この一面の５４×４５ｃｍ部にガラス板を装着し、この前面に、ガーデンカーテン（本実施形態に係るガーデンカーテン１に相当）、ガーデンカーテン＋エコレース、ガーデンカーテン＋（通常の）レースカーテン、をそれぞれ吊るし、ガラス板より５０ｃｍ離れた位置に赤外ランプを設置し、ガラス板反対側の試験槽内の５０ｃｍ奥に、すなわち、奥側の壁面より４ｃｍの位置に温度センサーを設置して、赤外ランプを６０℃で６０分間照射してこの試験槽内の上昇温度を５分毎に測定したものである。また、このときの環境温度は２５℃である。
【００７６】  また、表中に示す断熱効果とは、空試験時の最大上昇温度とテスト時の試験槽内の最大上昇温度との差を示し、断熱効果率は、この断熱効果温度の空試験の最大上昇温度に対する割合を示すものである。
【００７７】  表１の結果から明らかなように、本体ネット部４に人造植物を取り付けたガーデンカーテン１のみの場合でも、４４．２％の高い断熱効果率を示している。また、このガーデンカーテン１に加えてレースカーテンを併用することにより、さらに良好な断熱効果率を得ることができる。すなわち、真夏日においては、外部の熱を遮蔽でき室内の冷房コストを低減することができて省エネ効果を発揮する。
【００７８】  表中に示すエコレースとはエコレースカーテンのことであって、遮光性と断熱性に優れたフルダルのポリエステル加工糸（例えば、１５０デニール）を用いた経編のレースカーテンから成る。通常のレースカーテンでは、フルダル糸は用いておらず、セミダル糸を用いているので、断熱性はフルダル糸ほど高くはない。
【００７９】  上記したように、本考案によれば、上下のレールに網目状の本体ネット部４を取り付け、この本体ネット部に任意の植物を取り付けることで、所望される遮光効果や木漏れ日効果を発揮して、所定の涼風感と爽快感を発揮するガーデンカーテンを得ることができる。
【００８０】  また、断熱効果を有することから節電も可能であり、省エネ効果を発揮すると共に、部屋にいながらリゾート気分を味わうことも可能である。
【００８１】  また、人造の植物を取り付けているので、任意の植物に取り替え自在であり、水やりなどの手入れも不要であるので、低コストでメンテナンス容易となって、利便性が高く実用性の高いガーデンカーテンを得ることができる。また、所定の密度に植物を取り付けると、鳥などが侵入してこない防鳥効果を発揮する。
【００８２】  そのために、本考案に係るガーデンカーテンは、バルコニーやベランダなどに設置して、所定の日よけ効果や木漏れ日効果に加えて防鳥効果を発揮するガーデンカーテンに好適に適用できる。
【符号の説明】
【００８３】  １、１Ａ〜１Ｃ  ガーデンカーテン
２、２Ａ〜２Ｄ    上レール
３、３Ａ〜３Ｄ    下レール
４    カーテン本体部
５、５Ａ〜５Ｄ    上フック部材
６、６Ａ〜６Ｄ    下フック部材
７    取付面
１１、１１Ａ、１１Ｂ  植物
１２Ａ、１２Ｂ  葉状植物
１２Ｃ  花状植物
１３Ａ  線状体（チェーンリンク状の）
１３Ｂ  線状体（蔓状の）
７１    枠部
７２    壁面
７３    床面
７４    天面
Ｒ１    リング状部材
ＳＬ１  スライダー部材
【図１】
0003173462.tif 000004
【図２】
0003173462.tif 000005
【図３】
0003173462.tif 000006
【図４】
0003173462.tif 000007
【図５】
0003173462.tif 000008
【図６】
0003173462.tif 000009
【図７】
0003173462.tif 000010
【図８】
0003173462.tif 000011
【図９】
0003173462.tif 000012